(57)【要約】【課題】在庫情報に基づく情報を商品購入者であるユーザに通知することが可能になる情報処理方法、情報処理装置、およびプログラムを提供する。【解決手段】第１情報処理装置に、第２情報処理装置から、商品ボックスを識別するための第１識別情報を受信するステップと、第２情報処理装置から、商品を識別するための第２識別情報及び購入する商品の個数を示す個数情報を受信するステップと、第２情報処理装置から受信した第１識別情報、第２識別情報、及び個数情報に基づいた決済処理を実行するステップと、決済処理に基づいて、第１識別情報に対応付けられた在庫情報を更新するステップと、商品の購入に関する所定条件を満たすユーザ識別情報に対応付けられた第３情報処理装置に、在庫情報に基づく所定の通知を送信するステップと、を実行させる情報処理方法。【選択図】図８
2020113058.tif 000002
【特許請求の範囲】
【請求項１】
第１情報処理装置に、
第２情報処理装置から、商品ボックスを識別するための第１識別情報を受信するステップと、
前記第２情報処理装置から、商品を識別するための第２識別情報及び購入する商品の個数を示す個数情報を受信するステップと、
前記第２情報処理装置から受信した前記第１識別情報、前記第２識別情報、及び前記個数情報に基づいた決済処理を実行するステップと、
前記決済処理に基づいて、前記第１識別情報に対応付けられた在庫情報を更新するステップと、
商品の購入に関する所定条件を満たすユーザ識別情報に対応付けられた第３情報処理装置に、前記在庫情報に基づく所定の通知を送信するステップと、を実行させる情報処理方法。
【請求項２】
前記所定条件を満たすユーザ識別情報は、前記第１識別情報に対応付けられた購入履歴が記録されているユーザ識別情報を含む、請求項１に記載の情報処理方法。
【請求項３】
前記所定条件を満たすユーザ識別情報は、前記第２識別情報に対応付けられた購入履歴が記録されているユーザ識別情報を含む、請求項１又は２に記載の情報処理方法。
【請求項４】
前記第３情報処理装置から、前記第３情報処理装置の位置情報を受信するステップ、を更に実行させる情報処理方法であって、
前記所定の通知を送信するステップは、前記在庫情報が更新された場合であって、且つ前記第３情報処理装置の前記位置情報が前記商品ボックスから所定の距離以内である場合に実行される、請求項１から３のいずれか一項に記載の情報処理方法。
【請求項５】
前記第２情報処理装置から、前記商品の金額を示す金額情報を要求するための金額情報要求を受信するステップと、
前記第２情報処理装置に、前記金額情報要求に応じて、前記金額情報を送信するステップと、を更に実行させる、請求項１から４のいずれか一項に記載の情報処理方法。
【請求項６】
前記第２情報処理装置に、前記第１識別情報に対応付けられた在庫リストを送信するステップ、を更に実行させる、請求項１から５のいずれか一項に記載の情報処理方法。
【請求項７】
前記第２情報処理装置に、前記第１識別情報に対応付けられた金額リストを送信するステップ、を更に実行させる、請求項１から６のいずれか一項に記載の情報処理方法。
【請求項８】
前記第２情報処理装置から、前記第２情報処理装置の位置情報を受信するステップ、を更に実行させ、
前記第２情報処理装置に前記金額リストを送信するステップは、前記第２情報処理装置の位置情報が前記商品ボックスから所定の第２距離以内である場合に実行される、請求項７に記載の情報処理方法。
【請求項９】
前記第２情報処理装置から、前記商品ボックスに対応付けて設置された電波発生装置から受信した電波に含まれる前記電波発生装置を識別するための電波発生装置識別情報を受信するステップ、を更に実行させ、
前記第２情報処理装置に前記金額リストを送信するステップは、前記第２情報処理装置から前記電波発生装置識別情報を受信した場合に実行される、
請求項７又は８に記載の情報処理方法。
【請求項１０】
前記第２情報処理装置に前記金額リストを送信するステップは、予め設定された時刻において実行される、
請求項７から９のいずれか一項に記載の情報処理方法。
【請求項１１】
前記第２情報処理装置に前記金額リストを送信するステップは、前記第２情報処理装置から前記第１識別情報を受信したことに応じて実行される、請求項７から１０のいずれか一項に記載の情報処理方法。
【請求項１２】
第２情報処理装置から、商品ボックスを識別するための第１識別情報、商品を識別するための第２識別情報、及び購入する商品の個数を示す個数情報を受信する受信部と、
前記第２情報処理装置から受信した前記第１識別情報、前記第２識別情報、及び前記個数情報に基づいた決済処理を実行する決済処理部と、
前記決済処理に基づいて、前記第１識別情報に対応付けられた在庫情報を更新する更新部と、
商品の購入に関する所定条件を満たすユーザ識別情報に対応付けられた第３情報処理装置に所定の通知を送信する通知処理部と、を備える情報処理装置。
【請求項１３】
第１情報処理装置に、
第２情報処理装置から、商品ボックスを識別するための第１識別情報を受信するステップと、
前記第２情報処理装置から、商品を識別するための第２識別情報及び購入する商品の個数を示す個数情報を受信するステップと、
前記第２情報処理装置から受信した前記第１識別情報、前記第２識別情報、及び前記個数情報に基づいた決済処理を実行するステップと、
前記決済処理に基づいて、前記第１識別情報に対応付けられた在庫情報を更新するステップと、
商品の購入に関する所定条件を満たすユーザ識別情報に対応付けられた第３情報処理装置に、前記在庫情報に基づく所定の通知を送信するステップと、を実行させる情報処理プログラム。
【発明の詳細な説明】
【技術分野】
【０００１】
本開示は、情報処理方法、情報処理装置、およびプログラムに関する。
【背景技術】
【０００２】
従来から、会社のオフィススペース等に、商品が陳列された商品陳列棚と、商品の購入代金を回収する代金回収箱とを設置し、設置先会社の従業員等が商品陳列棚の商品を持ち出す際に代金回収箱に購入代金を投入することで商品の販売を行う、無人販売サービスが知られている。
【０００３】
例えば特許文献１には、商品が購入された商品陳列棚の棚ＩＤを特定し、取得した商品情報及び棚ＩＤに基づいて、記憶部に格納された棚ＩＤに対応する商品の在庫情報を更新する商品販売管理サーバが開示されている。
【先行技術文献】
【特許文献】
【０００４】
【特許文献１】特開２０１７−８４２５８号公報
【発明の概要】
【発明が解決しようとする課題】
【０００５】
しかしながら、従来の在庫管理システムでは、在庫情報はあくまで在庫を管理する側の利用に供されるのであって、当該在庫情報を商品購入者に対して有効に提供することはできていなかった。
【０００６】
本開示の一側面では、在庫情報に基づく情報を商品購入者であるユーザに通知することが可能になる情報処理方法、情報処理装置、およびプログラムを提供することを目的とする。
【課題を解決するための手段】
【０００７】
本開示の一実施形態に係る情報処理方法は、第１情報処理装置に、第２情報処理装置から、商品ボックスを識別するための第１識別情報を受信するステップと、第２情報処理装置から、商品を識別するための第２識別情報及び購入する商品の個数を示す個数情報を受信するステップと、第２情報処理装置から受信した第１識別情報、第２識別情報、及び個数情報に基づいた決済処理を実行するステップと、決済処理に基づいて、第１識別情報に対応付けられた在庫情報を更新するステップと、商品の購入に関する所定条件を満たすユーザ識別情報に対応付けられた第３情報処理装置に、在庫情報に基づく所定の通知を送信するステップと、を実行させる。
【図面の簡単な説明】
【０００８】
【図１】図１は、実施形態の一態様に係る通信システムの構成を示す。
【図２】図２は、本開示に係る情報処理装置のハードウェア構成の一例を示す。
【図３】図３は、第１実施形態に係るサーバ１１０の機能的な構成を示すブロック図の一例を示す。
【図４】図４は、第１実施形態に係るユーザ管理ＤＢの一例を示す。
【図５】図５は、第１実施形態に係る決済管理ＤＢの一例を示す。
【図６】図６は、第１実施形態に係る店舗管理ＤＢの一例を示す。
【図７】図７は、第１実施形態に係る端末１２０の機能的な構成を示すブロック図の一例を示す。
【図８】図８は、第１実施形態に係る通信システム１の処理のシーケンスの一例を示す。
【図９】図９は、商品ボックスコード読取画面５００の一例を示す。
【図１０】図１０は、商品コード読取画面５１０の一例を示す
【図１１】図１１は、個数指定画面５２０の一例を示す。
【図１２】図１２は、会計画面５３０の一例を示す。
【図１３】図１３は、通知画面５４０の一例を示す。
【図１４】図１４は、第２実施形態に係る通信システム１の処理のシーケンスの一例を示す。
【図１５】図１５は、在庫リスト画面５５０の一例を示す。
【図１６】図１６は、第３実施形態に係る通信システム１の処理のシーケンスの一例を示す。
【図１７】図１７は、第４実施形態に係る通信システム１の処理のシーケンスの一例を示す。
【発明を実施するための形態】
【０００９】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【００１０】
本開示に係る情報処理方法、情報処理装置、およびプログラムを実施するための形態について、図面を参照して説明する。
【００１１】
＜システム構成＞
図１は、本開示の一実施形態に係る通信システム１の構成を示す。図１に開示されるように、通信システム１では、ネットワーク１３０を介してサーバ１１０Ａ、サーバ１１０Ｂと、端末１２０Ａ、端末１２０Ｂ、端末１２０Ｃとが接続される。
【００１２】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１３】
本開示において、端末１２０Ａと、端末１２０Ｂと、端末１２０Ｃとをそれぞれ区別する必要がない場合は、端末１２０Ａと端末１２０Ｂと端末１２０Ｃとは、それぞれ端末１２０と表現されてもよい。
【００１４】
本開示において、サーバ１１０と、端末１２０とをそれぞれ区別する必要がない場合は、サーバ１１０と端末１２０とは、それぞれ情報処理装置２００と表現されてもよい。なお、ネットワーク１３０に接続される情報処理装置２００の数は限定されない。
【００１５】
サーバ１１０は、ネットワーク１３０を介してユーザが利用する端末１２０に、所定のサービスを提供する。所定のサービスは、限定でなく例として、決済サービス、金融サービス、電子商取引サービス、インスタントメッセンジャーを代表とするＳＮＳ（Social Networking Service）、楽曲・動画・書籍などのコンテンツ提供サービス等を含む。ユーザが端末１２０を介して所定のサービスを利用することで、サーバ１１０は１以上の端末１２０に所定のサービスを提供することができる。
【００１６】
本開示において、決済サービスとは１以上のユーザが金銭または金銭相当物の授受ができるサービスを意味する。限定でなく例として、一次元コード（バーコードなど）、二次元コード（ＱＲコード（登録商標）など）（以下で、一次元コードおよび二次元コードをまとめて「二次元コード等」と総称する。）、近距離無線通信（ＮＦＣ (Near Field Communication)、ＢＬＥ（Bluetooth（登録商標） Low Energy）、Wi-Fi（登録商標）、超音波通信、赤外線通信など）を利用して決済を行うサービスを含む。また、代金の支払いを行うユーザ（支払者）の端末１２０が二次元コード等を読み取ることで決済を行うことを「ユーザ読取型コード決済」または「ＭＰＭ（Merchant Presented Mode）」と表現し、支払いを行うユーザの端末１２０が二次元コード等を表示し、表示された二次元コード等を、代金を請求する店舗側等のユーザ（販売者、請求者）の端末１２０が読み取ることで決済を行うことを「店舗読取型コード決済」または「ＣＰＭ（Consumer Presented Mode）」と表現する。なお、ＭＰＭおよびＣＰＭは、動的であってもよいし、静的であってもよい。
【００１７】
必要に応じて、ユーザＸが利用する端末を端末１２０Ｘと表現し、ユーザＸまたは端末１２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報、ユーザに対応付けられた電子バリュー（電子マネー）の残高情報、ユーザに対応付けられたクレジットカード情報（クレジットカード番号など）を含み、これらのいずれか一つまたは、組み合わせであってもよい。
【００１８】
ネットワーク１３０は、２以上の情報処理装置２００を接続する役割を担う。ネットワーク１３０は、端末１２０がサーバ１１０に接続した後、データを送受信することができるように接続経路を提供する通信網を意味する。
【００１９】
ネットワーク１３０のうちの１つまたは複数の部分は、有線ネットワークや無線ネットワークであってもよい。ネットワーク１３０は、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワーク１３０は、１つまたは複数のネットワーク１３０を含むことができる。
【００２０】
情報処理装置２００は、本開示に記載される機能および方法を実現できる情報処理装置であればどのような情報処理装置であってもよい。
【００２１】
情報処理装置２００は、限定ではなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
【００２２】
＜ハードウェア構成＞
図２を用いて、通信システム１に含まれる情報処理装置２００のハードウェア構成について説明する。
【００２３】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のハードウェアの各構成要素は、限定でなく例として、バスＢを介して相互に接続される。
【００２４】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２５】
プロセッサ２０１は、ストレージ２０３に記憶されるプログラムに含まれるコードまたは命令によって実現する機能および方法を実行する。プロセッサ２０１は、限定でなく例として、中央処理装置（ＣＰＵ）、ＭＰＵ（Micro Processing Unit）、ＧＰＵ（Graphics Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２６】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２７】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２８】
通信Ｉ／Ｆ２０５は、ネットワーク１３０を介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワーク１３０を介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２９】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００３０】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）、所定のコードを読み取るためのコードリーダを含む。
【００３１】
出力装置は、プロセッサ２０１で処理された処理結果を出力することができる全ての種類の装置のいずれか、または、その組み合わせにより実現される。当該処理結果を映像または動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００３２】
本開示の各実施形態のプログラムは、コンピュータに読み取り可能な記憶媒体に記憶された状態で提供されてもよい。 記憶媒体は、「一時的でない有形の媒体」に、プログラムを記憶可能である。プログラムは、限定でなく例として、ソフトウェアプログラムやコンピュータプログラムを含む。
【００３３】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３４】
また、本開示のプログラムは、当該プログラムを伝送可能な任意の伝送媒体（通信ネットワークや放送波等）を介して、情報処理装置２００に提供されてもよい。
【００３５】
また、本開示の各実施形態は、プログラムが電子的な伝送によって具現化された、搬送波に埋め込まれたデータ信号の形態でも実現され得る。
【００３６】
なお、本開示のプログラムは、限定でなく例として、JavaScript（登録商標）、Pythonなどのスクリプト言語、Ｃ言語、Ｇｏ言語、Swift Kotlin、Java（登録商標）など
を用いて実装される。
【００３７】
情報処理装置２００における処理の少なくとも一部は、１以上のコンピュータにより構成されるクラウドコンピューティングにより実現されていてもよい。
【００３８】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３９】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００４０】
本開示では、明記されていない限り、または文脈によって示されない限り、「AおよびBの少なくとも一方」は、「Ａ、Ｂ、またはその両方」を意味する。さらに、明記されない限り、または文脈によって示されない限り、「ａ」、「ａｎ」、または「ｔｈｅ」は「１つまたは複数」を意味するものとする。したがって、本明細書では、別段に明記されない限り、または文脈によって示されない限り、「ａｎ  Ａ」または「ｔｈｅ  Ａ」は「１つまたは複数のＡ」を意味する。
【００４１】
本開示は、本開示の実施形態および実施例に対して、当業者が成し得る全ての変更、置換、変形、改変、または修正を包含する。また、添付の特許請求の範囲は、本開示の実施形態および実施例に対して、当業者が成し得る全ての変更、置換、変形、改変、または修正を包含する。さらに、本開示は、当業者が成し得る、本開示における実施形態または実施例の１以上の特徴と、本開示における他の実施形態または実施例の１以上の特徴との任意の組合せを包含する。加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００４２】
本開示は、明示されない限り、いずれの実施形態または実施例を実施するに際して、事前に、または、実施の直前にユーザからの同意を取得してもよい。また、取得する同意は、包括的なものでもよく、都度取得するものでもよい。
【００４３】
＜第１実施形態＞
第１実施形態は、商品の購入者が端末を用いて商品ボックス及び商品のそれぞれに付されたコードを読み取ることにより商品の購入を行い、これにより当該商品ボックスの在庫情報が変更されると、サーバが、当該商品ボックスに対応付けられたユーザが利用する端末に在庫情報に基づく所定の通知を送信する実施形態である。ここで、商品ボックスは、購入者が商品を選択及び購入可能なように当該商品を展示するためのスペース（商品スペース）であれば、形状や寸法その他の態様は限定されない。例えば、商品ボックスは、商品を陳列するための箱、容器、ケース、棚の他、購入者が内部に入ることのできる店舗や建物等、或いは屋内外の露天商の陳列スペース等であってもよい。
【００４４】
第１実施形態により、商品ボックスの商品の販売が促進されるという効果が得られる。また、設置先会社の従業員等が効率的に在庫補充をできるという効果も得られる。
【００４５】
＜第１実施形態の機能構成＞
図３を用いてサーバ１１０の機能構成を説明し、図４〜６を用いてサーバ１１０に記憶される各種データベース（ＤＢ）を説明し、図７を用いて端末１２０の機能構成を説明する。
【００４６】
（１）サーバの機能構成
図３は、第１実施形態に係るサーバ１１０の機能構成の一例を示す図である。図３に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００４７】
図３に示すとおり、サーバ１１０は、例えば、入出力部３１１と、通信部３１２と、決済処理部３１３と、在庫処理部３１４と、通知先特定部３１５と、記憶部３２０とを有する。入出力部３１１は、例えば、入出力Ｉ／Ｆ２０４を介してプロセッサ２０１により実現されうる。また、通信部３１２は、例えば、通信Ｉ／Ｆ２０５を介してプロセッサ２０１により実現されうる。決済処理部３１３と、在庫処理部３１４と、通知処理部３１５とは、プロセッサ２０１が、記憶部３２０に格納されているプログラムを読み出して実行することで実現されうる。記憶部３２０は、メモリ２０２および／またはストレージ２０３を用いて実現されうる。なお、各機能部の機能または処理は、実現可能な範囲において、機械学習またはＡＩ（Artificial Intelligence）により実現されてもよい。
【００４８】
入出力部３１１は、入出力部３１１は、入出力Ｉ／Ｆ２０４を介して各種データの入力を受け付ける処理、及び、入出力Ｉ／Ｆ２０４を介して各種のデータを出力する処理を行う機能を有する。
【００４９】
通信部３１２は、通信Ｉ／Ｆ２０５を介して各端末１２０から各種データを受信する受信部、及び、通信Ｉ／Ｆ２０５を用いて各種データを各端末１２０に送信する送信部としての機能を有する。
【００５０】
例えば、通信部（受信部）３１２は、端末１２０から、ユーザＩＤ、及び商品ボックスＩＤを受信する。
【００５１】
また、例えば、通信部（受信部）３１２は、端末１２０から、特定の商品の金額情報を要求するための金額情報リクエストを受信する。
【００５２】
また、例えば、通信部（受信部）３１２は、端末１２０から、決済情報に基づく決済処理を要求する決済リクエストを受信する。
【００５３】
また、例えば、通信部（送信部）３１２は、所定のユーザが利用する端末１２０に、通知処理部３１５が決定した内容の所定の通知を送信する。
【００５４】
決済処理部３１３は、決済を実行するための各種の処理を行う機能を有する。例えば、決済処理部３１３は、ユーザの端末から受信された決済情報に基づいて決済処理を行う。決済処理は、商品の購入者であるユーザのアカウントの残高から、決済情報に含まれる金額を減算し、決済情報などから特定される商品の販売者のアカウントの残高に支払額を加算する処理を含む。
【００５５】
在庫処理部３１４は、商品ボックスの商品の在庫を管理するための各種の処理を行う機能を有する。例えば、在庫処理部３１５は、端末１２０から受信された個数情報に基づいて、商品ボックス管理ＤＢの在庫情報の更新処理を行う。
【００５６】
通知処理部３１５は、例えば、所定の通知の内容を決定し、通信部３１２を介して、当該通知を所定のユーザが利用する端末１２０に送信する。所定の通知の内容は、在庫情報に基づくものであれば、特に限定されない。所定の通知は、商品の販売を促進するための情報を含んでいてもよい。例えば、所定の通知は、特定の商品に係る情報を含んでもよい。当該情報は、例えば、特定の商品の名称、製造者、特徴、発売日等の属性情報や、当該商品の画像情報を含んでもよい。
【００５７】
また、当該情報は、特定の商品の在庫情報を含んでもよい。所定の通知の通知先は、任意に設定してもよい。当該通知先は、例えば、商品の購入に関する所定条件を満たすユーザ識別情報に対応付けられた端末１２０であってよい。商品の購入に関する当該所定条件は、例えば、後述する購入履歴ＤＢ等に、在庫情報が更新された商品ボックスにおける商品の購入履歴が当該ユーザ識別情報に対応付けて記録されていることであってもよい。また、商品の購入に関する当該所定条件は、所定の通知の内容が特定の商品に係るものである場合、例えば、後述する購入履歴ＤＢ等に、当該特定の商品の購入履歴が当該ユーザ識別情報に対応付けて記録されていることであってもよい。また、商品の購入に関する当該所定条件は、例えば、当該ユーザ識別情報に係る位置情報が、所定の商品ボックスから所定の距離以内であることであってもよい。
【００５８】
記憶部３２０は、第１実施形態に係るサーバ１１０が実行するプログラムと、ユーザのアカウント情報を管理するユーザ管理ＤＢと、商品ボックスに係る商品情報、金額情報、及び在庫情報等を管理する商品ボックス管理ＤＢと、ユーザによる商品の購入履歴を管理する購入履歴ＤＢとを格納する。図４〜６は、各管理ＤＢの一例を示す図である。
【００５９】
図４は、ユーザ管理ＤＢの一例を示す。「ユーザＩＤ」には、サーバ１１０がユーザを一意に識別するためのユーザ識別情報（ユーザＩＤ）が含まれる。「パスワード」には、ユーザ認証を行うためのパスワードが含まれる。「残高」には、ユーザが保有するアカウントの口座に入金された金額の残高が含まれる。
【００６０】
図５は、商品ボックス管理ＤＢの一例を示す。「ボックスＩＤ」には、サーバ１１０が商品ボックスを一意に識別するための商品ボックス識別情報（商品ボックスＩＤ）が含まれる。「設置場所」には、商品ボックスが設置されている場所の位置情報が含まれる。「販売者ＩＤ」には、商品の販売者を識別するためのＩＤが含まれる。「商品情報」には、商品ボックスが販売する１又は複数の商品の情報が含まれる。商品情報には、商品を識別するための商品ＩＤが含まれてもよい。「金額情報」には、商品毎に、購入時に支払うべき金額を示す情報が含まれる。「在庫情報」には、商品毎に、在庫の個数を示す情報が含まれる。
【００６１】
図６に、購入履歴ＤＢの一例を示す。購入履歴ＤＢは、ユーザによる商品の購入履歴を管理するためのＤＢである。「購入日時」には、ユーザによる商品の購入に係る決済処理が完了した日時が含まれる。「ユーザＩＤ」には、商品の購入を行ったユーザに係るユーザＩＤが含まれる。「ボックスＩＤ」には、商品の購入が行われた商品ボックスに係る商品ボックスＩＤが含まれる。「購入内容」には、購入された商品の商品ＩＤ、及び購入された当該商品の個数が含まれる。図６に示す例えば「Ｐ０１（１）」との表記は、商品ＩＤ「Ｐ０１」の商品が「１」個購入されたことを示している。
【００６２】
（２）端末の機能構成
図７は、第１実施形態に係る端末１２０の機能構成の一例を示す図である。図７に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００６３】
図７に示すとおり、端末１２０は、例えば、入出力部４１１と、通信部４１２と、表示制御部４１３と、決済受付部４１４と、情報取得部４１５と、判定部４１６と、記憶部４２０とを有する。入出力部４１１は、例えば、入出力Ｉ／Ｆ２０４を介してプロセッサ２０１により実現されうる。また、通信部４１２は、例えば、通信Ｉ／Ｆ２０５を介してプロセッサ２０１により実現されうる。表示制御部４１３と、決済受付部４１４と、情報取得部４１５とは、プロセッサ２０１が、記憶部４２０に格納されているプログラムを読み出して実行することで実現されうる。記憶部４２０は、メモリ２０２および／またはストレージ２０３を用いて実現されうる。なお、各機能部の機能または処理は、実現可能な範囲において、機械学習またはＡＩ（Artificial Intelligence）により実現されてもよい。
【００６４】
入出力部４１１は、入出力Ｉ／Ｆ２０４を介して各種データの入力を受け付ける処理、及び、入出力Ｉ／Ｆ２０４を介して各種データを出力する処理を行う機能を有する。例えば、入出力部４１１は、タッチパネル等に対するユーザ操作を受け付ける。
【００６５】
通信部４１２は、通信Ｉ／Ｆ２０５を介してサーバ１１０から各種データを受信する受信部、及び、通信Ｉ／Ｆ２０５を用いて各種データをサーバ１１０に送信する送信部としての機能を有する。
【００６６】
例えば、通信部（送信部）４１２は、サーバ１１０に、ユーザＩＤ、及び商品ボックスＩＤを送信する。
【００６７】
また、例えば、通信部（送信部）４１２は、サーバ１１０に、特定の商品の金額情報を要求するための金額情報リクエストを送信する。金額情報リクエストには、例えば、商品ＩＤが含まれる。また、例えば、通信部（受信部）４１２は、サーバ１１０から、金額情報を受信する。
【００６８】
また、例えば、通知部（送信部）４１２は、サーバ１１０に、決済情報に基づく決済処理を要求する決済リクエストを送信する。決済リクエストが含む決済情報には、例えば、ユーザＩＤ、商品ボックスＩＤ、及び個数情報が含まれる。また、決済情報は、商品情報を含んでもよい。
【００６９】
表示制御部４１３は、表示装置（例えばタッチパネル）に、ボックスコード読取画面（後述する図９）、商品コード読取画面（後述する図１０）、個数指定画面（後述する図１１）、及び会計画面（後述する図１２）等を表示制御する。また、表示制御部４１３は、表示装置に、通知画面（後述する図１３）を表示制御する。
【００７０】
決済受付部４１４は、電子決済に関する処理を行う。例えば、決済受付部４１４は、特定の商品の金額情報を要求するための金額情報リクエストを生成する。また、例えば、決済受付部４１４は、決済情報に基づく決済処理を要求する決済リクエストを生成する。
【００７１】
情報取得部４１５は、ユーザ操作に応答して、各種の情報を取得する。例えば、情報取得部４１５は、商品ボックスに付された商品ボックスコードを読み取ることにより、商品ボックスＩＤを取得する。また、例えば、情報取得部４１５は、商品に付された商品コードを読み取ることにより、商品ＩＤを取得する。また、例えば、情報取得部４１５は、個数指定画面に対するユーザ操作に応答して、購入する商品の個数を取得する。
【００７２】
情報取得部４１５は、更に、例えば、位置情報測定部を含んでもよい。位置情報測定部は、端末１２０の現在位置の位置情報を測定する機能を備える。位置情報測定部は、限定でなく例として、ＧＰＳ（Global Positioning System）を用いて、端末１２０の現在位置の位置情報として、該端末１２０の緯度および経度を測定する。なお、位置情報測定部による端末１２０の位置情報の測定は、端末１２０の位置情報を測定できれば、どのような方法を用いてもよい。限定でなく例として、位置情報測定部は、ＩＭＥＳ（Indoor MEssaging System）、Ｗｉ−Ｆｉ、ＲＦＩＤ（Radio Frequency Identifier）、ＮＦＣ（Near Field Communication）、ＢＬＥ（Bluetooth Low Energy）、超音波などの近距離無線通信、ＬＴＥやＣＤＭＡなどの移動体通信システムなどを利用して、端末１２０の位置情報を測定してもよい。
【００７３】
判定部４１６は、所定の金額リスト要求条件が満たされていか否かを判定する。金額リスト要求条件は、端末１２０の位置情報に係る条件であってもよく、具体的には例えば、端末１２０の位置情報が所定の商品ボックスＩＤに係る位置情報から所定の距離以内であることであってもよい。また、金額リスト要求条件は、時刻に係る条件であってもよく、具体的には例えば、時刻情報が予め設定された時刻になったことであってもよい。
【００７４】
記憶部４２０は、第１実施形態に係る端末１２０が実行するプログラムを記憶する。
【００７５】
＜第１実施形態の動作処理＞
図８を参照し、第１実施形態に係る通信システム１の処理について説明する。図８は、第１実施形態に係る通信システム１の処理のシーケンスの一例を示す。
【００７６】
図８に示すシーケンスでは、商品の購入者であるユーザ（ユーザＡ）が端末１２０Ａを利用し、所定の通知を受け取るユーザ（ユーザＢ）が端末１２０Ｂを利用するものとする。
【００７７】
ステップＳ１００で、端末１２０Ａの表示制御部４１３は、例えばユーザＡによる操作に応答して、ボックスコード読取画面（後述の図９）を表示装置に表示するよう制御する。
【００７８】
ステップＳ１０１で、端末１２０Ａの情報取得部４１５は、例えばユーザＡによる操作に応答して、商品ボックスに付された商品ボックスコードを読み取ることにより、当該商品ボックスコードに係る商品ボックスＩＤを取得する。
【００７９】
ステップＳ１０２で、端末１２０Ａの表示制御部４１３は、商品コード読取画面（後述の図１０）を表示装置に表示するよう制御する。
【００８０】
ステップＳ１０３で、端末１２０Ａの情報取得部４１５は、商品に付された商品コードを読み取ることにより、当該商品コードに係る商品ＩＤを取得する。
【００８１】
ステップＳ１０４で、端末１２０Ａの通信部４１２は、決済受付部４１４が生成した商品の金額情報を要求するための金額情報リクエストをサーバ１１０Ａに送信する。金額情報リクエストは、ステップＳ１０５で取得した商品ＩＤに係る商品の金額情報を要求するリクエストである。金額情報リクエストは、ユーザＩＤ、ステップＳ１０１で取得された商品ボックスＩＤ、及びステップＳ１０３で取得された商品ＩＤを含む。
【００８２】
ステップＳ１０５で、サーバ１１０Ａの通信部３１２は、商品ボックス管理ＤＢにおいて、金額情報リクエストに含まれる商品ボックスＩＤ及び商品ＩＤに対応付けられた金額情報を端末１２０Ａに送信する。
【００８３】
ステップＳ１０６で、端末１２０Ａの表示制御部４１３は、個数指定画面（後述の図１１）を表示装置に表示するよう制御する。
【００８４】
ステップＳ１０７で、端末１２０Ａの決済受付部４１４は、個数指定画面に対するユーザＡの操作に応答して、購入する商品の個数の入力を受け付ける。また、決済受付部４１４は、受け付けた個数の情報（個数情報）を、商品ＩＤに対応付けて、端末１２０Ａの記憶部４２０に一時的に格納する。
【００８５】
ステップＳ１０８で、端末１２０Ａの表示制御部４１３は、会計画面（後述の図１２）を表示装置に表示するよう制御する。このとき、端末１２０Ａの決済受付部４１４は、ステップＳ１０５で受信した金額情報、及びステップＳ１０７で入力を受け付けた購入する商品の個数に基づいて合計金額を算出する。表示制御部４１３は、算出された当該合計金額を会計画面に表示する。
【００８６】
ステップＳ１０９で、端末１２０Ａの決済受付部４１４は、ユーザＡによる操作に応答して、商品追加と購入とのいずれかの選択を受け付ける。商品追加が選択された場合は、処理はステップＳ１１０に進み、購入が選択された場合は、処理はステップＳ１０２に戻る。なお、ステップＳ１０２以降を実行するのが２回目以上である場合には、ステップＳ１０４及びＳ１０５の処理は、既に端末１２０Ａが金額情報を取得しこれを記憶部４２０に格納していれば、省略されてもよい。
【００８７】
ステップＳ１１０で、端末１２０Ａの通信部４１２は、決済受付部４１４が生成した決済リクエストをサーバ１１０Ａに送信する。当該決済リクエストには、決済情報として、ユーザＩＤ、商品ボックスＩＤ、商品ＩＤ、及び個数情報が含まれる。
【００８８】
ステップＳ１１１で、サーバ１１０Ａの決済処理部３１３は、受信された決済リクエストに含まれる決済情報に基づいて、決済処理を実行する。例えば、決済処理部３１３は、決済情報に含まれるユーザＩＤが示すユーザのアカウントの残高から、決済情報に含まれる商品ボックスＩＤ、商品ＩＤ、及び個数情報から算出される合計金額を減算し、当該商品ボックスＩＤに係る販売者のアカウントの残高に加算する。
【００８９】
ステップＳ１１２で、サーバ１１０Ａの在庫処理部３１４は、受信された決済リクエストに含まれる決済情報に基づいて、商品ボックス管理ＤＢの在庫情報の更新処理を行う。具体的には、在庫処理部３１４は、決済情報に含まれる商品ボックスＩＤが示す商品ボックス管理ＤＢの在庫情報から、決済情報に含まれる商品ＩＤ毎に、決済情報に含まれる個数情報が示す個数だけ減算する。
【００９０】
ステップＳ１１３で、サーバ１１０Ａの通知処理部３１５は、所定の通知の通知先となるユーザを決定する。
【００９１】
ステップＳ１１４で、サーバ１１０Ａの通信部３１２は、端末１２０Ｂに所定の通知を送信する。
【００９２】
ステップＳ１１５で、端末１２０Ｂの表示制御部４１３は、通知画面（後述の図１３）を表示装置に表示するよう制御する。
【００９３】
＜第１実施形態の表示態様＞
図９〜１３を参照し、第１実施形態に係る端末１２０Ａ及び１２０Ｂの表示画面における表示態様について説明する。
【００９４】
図９は、商品ボックスコード読取画面５００の一例を示す。図９に示す商品ボックスコード読取画面５００は、例えば、図９のステップＳ１００で表示される。商品ボックスコード読取画面５００は、例えば、インストラクション表示部５０１と、商品ボックスコード読取枠５０２とを含む。インストラクション表示部５０１には、例えば、「商品ボックスコードを読み取ってください」等の商品ボックスコードの読取を促すテキストが表示される。商品ボックスコード読取枠５０２には、コードリーダが撮像することにより取得される動画像が表示される。商品ボックスコード読取枠５０２に商品ボックスコードが表示されると、決済受付部４１４が当該商品ボックスコードを読み取る。
【００９５】
図１０は、商品コード読取画面５１０の一例を示す。図１０に示す商品コード読取画面５１０は、例えば、図１０のステップＳ１０４で表示される。商品コード読取画面５１０は、例えば、インストラクション表示部５１１と、商品コード読取枠５１２とを含む。インストラクション表示部５０１には、例えば、「商品コードを読み取ってください」等の商品コードの読取を促すテキストが表示される。商品コード読取枠５１２には、コードリーダが撮像することにより取得される動画像が表示される。商品コード読取枠５１２に商品コードが表示されると、決済受付部４１４が当該商品コードを読み取る。
【００９６】
図１１は、個数指定画面５２０の一例を示す。図１１に示す個数指定画面５２０は、例えば、図１１のステップＳ１０８で表示される。個数指定画面５２０は、例えば、商品情報表示部５２１と、個数情報表示部５２２とを含む。商品情報表示部５２１には、例えば、ステップＳ１０５で読み取った商品コードに係る商品の商品情報が表示される。当該商品情報は、商品の名称や商品の画像を含んでもよい。個数情報表示部５２２には、ユーザが入力した購入する商品の個数が表示される。
【００９７】
図１２は、会計画面５３０の一例を示す。図１２に示す会計画面５３０は、例えば、図１２のステップＳ１１０で表示される。会計画面５３０は、例えば、会計情報表示部５３１と、商品追加選択部５３２と、購入選択部５３３とを含む。会計情報表示部５３１は、例えば、商品毎の個数情報と、商品毎の小計の金額情報と、全ての商品の合計金額とを含む。商品追加選択部５３２が選択されると、例えば処理はステップＳ１０４に進み、端末１２０に商品コード読取画面が表示される。これにより、購入する商品を追加することが可能となる。購入選択部５３３が選択されると、例えば処理はステップＳ１１３に進み、端末１２０はサーバ１１０に決済リクエストを送信する。
【００９８】
図１３は、通知画面５４０の一例を示す。図１３に示す通知画面５４０は、例えば、図１３のステップＳ１１７で表示される。通知画面５４０は、例えば、商品関連表示部５４１と、商品ボックス関連表示部５４２とを含む。商品関連表示部５４１は、商品に関する任意の情報を含んでもよい。当該情報は、例えば、商品の在庫情報、及び商品画像等を含んでもよい。商品ボックス関連表示部５４２は、商品ボックスに関する任意の情報を含んでもよい。当該情報は、例えば、商品ボックスの設置場所を示すテキスト情報や、地図画像等を含んでもよい。
【００９９】
＜＜第１実施例＞＞
第１実施例は、特定の商品ボックスの在庫情報が更新された場合に、当該商品ボックスにおける購入履歴を有するユーザが利用する端末１２０に通知を送信する実施例である。具体的には、図８に示すステップＳ１１３で、サーバ１１０Ａの通知処理部３１５は、ステップＳ１１０で受信された決済情報に含まれる商品ボックスＩＤにおける購入履歴が購入履歴ＤＢに含まれるユーザＩＤを特定し、当該ユーザＩＤに対応付けられた端末１２０に通知を送信する。
【０１００】
＜＜第１実施例の効果＞＞
第１実施例により、特定の商品ボックスＩＤにおける購入履歴が記録されているユーザに係る端末１２０に通知を送信することで、当該特定の商品ボックスの販売を促進する効果が得られる。
【０１０１】
＜＜第２実施例＞＞
第２実施例は、特定の商品の購入履歴が記録されているユーザに係る端末１２０に通知を送信する実施例である。具体的には、図８に示すステップＳ１１３で、サーバ１１０Ａ
の通知処理部３１５は、ステップＳ１１０で受信された決済情報に含まれる商品ＩＤにおける購入履歴が購入履歴ＤＢに含まれるユーザＩＤを特定し、当該ユーザＩＤに対応付けられた端末１２０に通知を送信する。
【０１０２】
＜＜第２実施例の効果＞＞
第２実施例により、特定の商品ＩＤの購入履歴が記録されているユーザに係る端末１２０に通知を送信することで、当該特定の商品の販売を促進する効果が得られる。
【０１０３】
＜＜第３実施例＞＞
第３実施例は、商品ボックスから所定の距離以内にいるユーザに係る端末１２０に通知を送信する実施例である。具体的には、サーバ１１０は図８のステップＳ１１３で、端末１２０から受信した端末１２０の位置情報が、所定の商品ボックスの位置情報から所定の距離以内である場合、図８に示すステップＳ１１３で、サーバ１１０Ａの通知処理部３１５は、当該端末１２０に通知を送信する。なお、サーバ１１０による端末１２０の位置情報の取得の方法は、特に限定されないが、例えば、商品ボックスに設けられたビーコン装置からビーコンを受信した端末１２０が、当該端末１２０の位置情報をビーコンＩＤと共にサーバ１１０に任意のタイミングで送信することにより、サーバ１１０が当該端末１２０の位置情報を取得してもよい。或いは、端末１２０は、所定の周期でサーバ１１０に端末１２０の位置情報を送信してもよい。
【０１０４】
＜＜第３実施例の効果＞＞
第３実施例により、商品ボックスの付近に存在するユーザに係る端末１２０に通知を送信することで、ユーザによる商品の購入の可能性を高めることが可能となる。
【０１０５】
＜第２実施形態＞
第２実施形態は、端末１２０が、サーバ１１０から取得した商品ボックスの在庫リストを表示した上で、当該在庫リストに対するユーザの操作に応答して金額情報リクエストをサーバ１１０に送信する実施形態である。第２実施形態により、購入する商品の選択処理が簡素化されるという効果が得られる。
【０１０６】
＜第２実施形態の機能構成＞
（１）サーバの機能構成
第２実施形態に係る決済処理部３１３は、更に、例えば、端末１２０から受信した在庫リストリクエストに応答して、在庫リストを生成する。ここで、在庫リストは、所定の商品ボックスＩＤに対応付けられた商品ＩＤについての在庫情報のリストである。
【０１０７】
（２）端末の機能構成
第２実施形態に係る決済受付部４１４は、更に、例えば、所定の商品ボックスＩＤに係る在庫リストを要求するための在庫リストリクエストを生成し、通信部４１２を介して当該在庫リストリクエストをサーバ１１０に送信する。
【０１０８】
第２実施形態に係る表示制御部４１３は、更に、例えば、表示装置に在庫リスト画面（後述する図１５）を表示制御する。
【０１０９】
＜第２実施形態の動作処理＞
図１４を参照し、第２実施形態に係る通信システム１の処理について説明する。図１４は、第２実施形態に係る通信システム１の処理のシーケンスの一例を示す。
【０１１０】
図１４に示すシーケンスでは、商品の購入者であるユーザ（ユーザＡ）が端末１２０Ａを利用し、所定の通知を受け取るユーザ（ユーザＢ）が端末１２０Ｂを利用するものとする。
【０１１１】
ステップＳ２００で、端末１２０Ａの表示制御部４１３は、例えばユーザＡによる操作に応答して、ボックスコード読取画面を表示装置に表示するよう制御する。
【０１１２】
ステップＳ２０１で、端末１２０Ａの情報取得部４１５は、例えばユーザＡによる操作に応答して、商品ボックスに付された商品ボックスコードを読み取ることにより、当該商品ボックスコードに係る商品ボックスＩＤを取得する。
【０１１３】
ステップＳ２０２で、端末１２０Ａの通信部４１２は、決済受付部４１４が生成した在庫リストリクエストをサーバ１１０Ａに送信する。在庫リストは、ステップＳ１０１で取得された商品ボックスＩＤに対応付けられた全ての商品ＩＤについての在庫情報のリストである。当該在庫リストリクエストは、ユーザＩＤと、ステップＳ１０１で取得された商品ボックスＩＤとを含む。
【０１１４】
ステップＳ２０３で、サーバ１１０Ａの通信部３１２は、ステップＳ２０２の在庫リストリクエストに応答して、決済処理部３１３が生成した在庫リストを端末１２０Ａに送信する。
【０１１５】
ステップＳ２０４で、端末１２０Ａの表示制御部４１３は、在庫リスト画面（後述の図１５）を表示装置に表示するよう制御する。
【０１１６】
ステップＳ２０５で、端末１２０Ａの情報取得部４１５は、在庫リスト画面に対するユーザの操作に応答して、商品の選択を受け付ける。
【０１１７】
ステップＳ２０６で、端末１２０Ａの通信部４１２は、決済受付部４１４が生成した商品の金額情報を要求するための金額情報リクエストをサーバ１１０Ａに送信する。金額情報リクエストは、ステップＳ２０５で選択された商品の金額情報を要求するリクエストである。当該金額情報リクエストは、ユーザＩＤと、ステップＳ２０１で取得された商品ボックスＩＤと、ステップＳ２０５で選択された商品に係る商品ＩＤとを含む。なお、金額情報リクエストはステップＳ２０２で在庫リストリクエストともにサーバ１１０Ａ送信されてもよく、ステップＳ２０３で在庫リストとともに端末１２０Ａに送信されても良い。
【０１１８】
ステップＳ２０７で、サーバ１１０Ａの通信部３１２は、商品ボックス管理ＤＢにおいて、金額情報リクエストに含まれる商品ボックスＩＤ及び商品ＩＤに対応付けられた金額情報を端末１２０Ａに送信する。
【０１１９】
ステップＳ２０８で、端末１２０Ａの表示制御部４１３は、個数指定画面を表示装置に表示するよう制御する。
【０１２０】
ステップＳ２０９で、端末１２０Ａの決済受付部４１４は、個数指定画面に対するユーザＡの操作に応答して、購入する商品の個数の入力を受け付ける。また、決済受付部４１４は、受け付けた個数の情報（個数情報）を、商品ＩＤに対応付けて、端末１２０Ａの記憶部４２０に一時的に格納する。
【０１２１】
ステップＳ２１０で、端末１２０Ａの表示制御部４１３は、会計画面を表示装置に表示するよう制御する。このとき、端末１２０Ａの決済受付部４１４は、ステップＳ２０７で受信した金額情報、及びステップＳ２０９で入力を受け付けた購入する商品の個数に基づいて合計金額を算出する。表示制御部４１３は、算出された当該合計金額を会計画面に表示する。
【０１２２】
ステップＳ２１２で、端末１２０Ａの決済受付部４１４は、ユーザＡによる操作に応答して、商品追加と購入とのいずれかの選択を受け付ける。商品追加が選択された場合は、処理はステップＳ２１３に進み、購入が選択された場合は、処理はステップＳ２０４に戻る。なお、ステップＳ２０４以降を実行するのが２回目以上である場合には、ステップＳ２０６及びＳ２０７の処理は、既に端末１２０Ａが金額情報を取得しこれを記憶部４２０に格納していれば、省略されてもよい。
【０１２３】
ステップＳ２１３で、端末１２０Ａの通信部４１２は、決済受付部４１４が生成した決済リクエストをサーバ１１０Ａに送信する。当該決済リクエストには、決済情報として、ユーザＩＤ、商品ボックスＩＤ、商品ＩＤ、及び個数情報が含まれる。
【０１２４】
ステップＳ２１４で、サーバ１１０Ａの決済処理部３１３は、受信された決済リクエストに含まれる決済情報に基づいて、決済処理を実行する。例えば、決済処理部３１３は、決済情報に含まれるユーザＩＤが示すユーザのアカウントの残高から、決済情報に含まれる商品ボックスＩＤ、商品ＩＤ、及び個数情報から算出される合計金額を減算し、当該商品ボックスＩＤに係る販売者のアカウントの残高に加算する。
【０１２５】
ステップＳ２１５で、サーバ１１０Ａの在庫処理部３１４は、受信された決済リクエストに含まれる決済情報に基づいて、商品ボックス管理ＤＢの在庫情報の更新処理を行う。具体的には、在庫処理部３１４は、決済情報に含まれる商品ボックスＩＤが示す商品ボックス管理ＤＢの在庫情報から、決済情報に含まれる商品ＩＤ毎に、決済情報に含まれる個数情報が示す個数だけ減算する。
【０１２６】
ステップＳ２１６で、サーバ１１０Ａの通知処理部３１５は、所定の通知の通知先となるユーザを決定する。
【０１２７】
ステップＳ２１７で、サーバ１１０Ａの通信部３１２は、端末１２０Ｂに所定の通知を送信する。
【０１２８】
ステップＳ２１８で、端末１２０Ｂの表示制御部４１３は、通知画面を表示装置に表示するよう制御する。
【０１２９】
＜第２実施形態の表示態様＞
図１５を参照し、第２実施形態に係る端末１２０Ａの表示画面における表示態様について説明する。図１５は、在庫リスト画面５５０の一例を示す。図１５に示す在庫リスト画面５５０は、例えば、図１４のステップＳ２０４で表示される。在庫リスト画面５５０は、例えば、在庫リスト表示部５５１を含む。在庫リスト表示部５５１には、ステップＳ２０１で取得された商品ボックスＩＤに係るに対応付けられた全ての商品と、各商品についての在庫情報とが表示される。ユーザは、在庫リスト画面から購入する商品を選択することができる。
【０１３０】
＜第３実施形態＞
第３実施形態は、所定の商品ボックスコードの読取に先立って、予め当該商品ボックスに係る全ての商品の金額情報のリストをサーバ１１０から端末１２０に送信する実施形態である。第３実施形態により、端末１２０は商品コードの読取時にサーバ１１０から金額情報を取得する必要が無くなるため、合計金額の算出が速くなるという効果が得られる。
【０１３１】
＜第３実施形態の機能構成＞
第３実施形態に係るサーバ１１０の決済処理部３１３は、更に、例えば、端末１２０から受信した金額リストリクエストに応答して、金額リストを生成する。ここで、金額リストは、所定の商品ボックスＩＤに対応付けられた全ての商品ＩＤについての金額情報のリストである。
【０１３２】
＜第３実施形態の動作処理＞
図１６を参照し、第３実施形態に係る通信システム１の処理について説明する。図１６は、第３実施形態に係る通信システム１の処理のシーケンスの一例を示す。
【０１３３】
図１６に示すシーケンスでは、商品の購入者であるユーザ（ユーザＡ）が端末１２０Ａを利用し、所定の通知を受け取るユーザ（ユーザＢ）が端末１２０Ｂを利用するものとする。
【０１３４】
ステップＳ３００で、端末１２０Ａの通信部４１２は、所定の金額リスト要求条件が満たされていると端末１２０Ａの判定部４１６が判定したことに応答して、決済受付部４１４が生成した所定の商品ボックスＩＤに係る金額リストリクエストをサーバ１１０Ａに送信する。金額リストリクエストには、所定の商品ボックスＩＤが含まれる。
【０１３５】
ステップＳ３０１で、サーバ１１０Ａの通信部３１２は、ステップＳ３００の金額リストリクエストに応答して、決済処理部３１３が生成した金額リストを端末１２０Ａに送信する。
【０１３６】
ステップＳ３０２で、端末１２０Ａの表示制御部４１３は、例えばユーザＡによる操作に応答して、ボックスコード読取画面を表示装置に表示するよう制御する。
【０１３７】
ステップＳ３０３で、端末１２０Ａの情報取得部４１５は、例えばユーザＡによる操作に応答して、商品ボックスに付された商品ボックスコードを読み取ることにより、当該商品ボックスコードに係る商品ボックスＩＤを取得する。ここで、ステップＳ３０３で取得された商品ボックスＩＤと、ステップＳ３０１で端末１２０Ａにより受信された金額リストに係る商品ボックスＩＤとは一致するものとする。
【０１３８】
ステップＳ３０４で、端末１２０Ａの表示制御部４１３は、商品コード読取画面を表示装置に表示するよう制御する。
【０１３９】
ステップＳ３０５で、端末１２０Ａの情報取得部４１５は、商品に付された商品コードを読み取ることにより、当該商品コードに係る商品ＩＤを取得する。
【０１４０】
ステップＳ３０６で、端末１２０Ａの表示制御部４１３は、個数指定画面を表示装置に表示するよう制御する。
【０１４１】
ステップＳ３０７で、端末１２０Ａの決済受付部４１４は、個数指定画面に対するユーザＡの操作に応答して、購入する商品の個数の入力を受け付ける。また、決済受付部４１４は、受け付けた個数の情報（個数情報）を、商品ＩＤに対応付けて、端末１２０Ａの記憶部４２０に一時的に格納する。
【０１４２】
ステップＳ３０８で、端末１２０Ａの表示制御部４１３は、会計画面を表示装置に表示するよう制御する。このとき、端末１２０Ａの決済受付部４１４は、ステップＳ３０１で受信した金額リストに含まれる金額情報、及びステップＳ３０７で入力を受け付けた購入する商品の個数に基づいて合計金額を算出する。表示制御部４１３は、算出された当該合計金額を会計画面に表示する。
【０１４３】
ステップＳ３０９で、端末１２０Ａの決済受付部４１４は、ユーザＡによる操作に応答して、商品追加と購入とのいずれかの選択を受け付ける。商品追加が選択された場合は、処理はステップＳ３１０に進み、購入が選択された場合は、処理はステップＳ３０２に戻る。
【０１４４】
ステップＳ３１０で、端末１２０Ａの通信部４１２は、決済受付部４１４が生成した決済リクエストをサーバ３１０Ａに送信する。当該決済リクエストには、決済情報として、ユーザＩＤ、商品ボックスＩＤ、商品ＩＤ、及び個数情報が含まれる。
【０１４５】
ステップＳ３１１で、サーバ１１０Ａの決済処理部３１３は、受信された決済リクエストに含まれる決済情報に基づいて、決済処理を実行する。例えば、決済処理部３１３は、決済情報に含まれるユーザＩＤが示すユーザのアカウントの残高から、決済情報に含まれる商品ボックスＩＤ、商品ＩＤ、及び個数情報から算出される合計金額を減算し、当該商品ボックスＩＤに係る販売者のアカウントの残高に加算する。
【０１４６】
ステップＳ３１２で、サーバ１１０Ａの在庫処理部３１４は、受信された決済リクエストに含まれる決済情報に基づいて、商品ボックス管理ＤＢの在庫情報の更新処理を行う。具体的には、在庫処理部３１４は、決済情報に含まれる商品ボックスＩＤが示す商品ボックス管理ＤＢの在庫情報から、決済情報に含まれる商品ＩＤ毎に、決済情報に含まれる個数情報が示す個数だけ減算する。
【０１４７】
ステップＳ３１３で、サーバ１１０Ａの通知処理部３１５は、所定の通知の通知先となるユーザを決定する。
【０１４８】
ステップＳ３１４で、サーバ１１０Ａの通信部３１２は、端末１２０Ｂに所定の通知を送信する。
【０１４９】
ステップＳ１１５で、端末１２０Ｂの表示制御部４１３は、通知画面を表示装置に表示するよう制御する。
【０１５０】
＜＜第１実施例＞＞
第１実施例は、端末１２０が、端末１２０の位置情報に基づいて金額リストリクエストをサーバ１１０に送信する実施例である。具体的には、端末１２０の判定部４１６は、所定の金額リスト要求条件として、端末１２０の位置情報が所定の商品ボックスＩＤに係る位置情報から所定の距離以内であるか否かを判定する。そして、端末１２０の位置情報が所定の商品ボックスＩＤに係る位置情報から所定の距離以内であると判定された場合、図１６のステップＳ３００で、端末１２０の通信部４１２は、当該商品ボックスＩＤに係る金額リストリクエストをサーバ１１０に送信する。
【０１５１】
＜＜第１実施例の効果＞＞
第１実施例により、商品ボックスから所定距離だけ接近したユーザに係る端末１２０が金額リストを受信することで、端末１２０が商品コードの読取時にサーバ１１０から金額情報を取得する必要を無くす作用を確実にならしめる効果が得られる。
【０１５２】
＜＜第１実施例の変形例＞＞
なお、図１６のステップＳ３０１で、端末１２０は、サーバ１１０から金額リストを受信することに同意するか否かを表示装置に表示制御してもよい。
【０１５３】
＜＜第２実施例＞＞
第２実施例は、端末１２０が、商品ボックスに対応付けて設置されたビーコン装置から
電波を受信した場合、金額リストリクエストをサーバ１１０に送信する実施例である。ここで、「商品ボックスに対応付けて設置」するとは、当該商品ボックスとの対応付けられ
ている限り特に限定されないが、例えば、当該商品ボックスから所定の距離以内に設置さ
れることを含む。ビーコン装置が発する電波は、当該ビーコン装置を識別するための識別
情報（ビーコン装置識別情報）を含む。なお、ビーコン装置は、電波発生装置の一例であ
る。
【０１５４】
端末１２０は、端末１２０が商品ボックスに対応付けて設置されたビーコン装置から電
波を受信した場合、図１６のステップＳ３００で、端末１２０の通信部４１２は、金額リ
ストリクエストをサーバ１１０に送信する。当該金額リストリクエストは、ユーザＩＤと、ビーコン装置識別情報とを含む。サーバ１１０は、ビーコン装置識別情報と商品ボックスＩＤとを対応付けて記録された所定のテーブルを参照して、金額リストリクエストに含まれるユーザＩＤに係る端末１２０に、金額リストリクエストに含まれる商品ボックスＩＤに係る金額リストを送信する。
【０１５５】
＜＜第２実施例の効果＞＞
第２実施例により、商品ボックスから所定距離だけ接近したユーザに係る端末１２０は、ビーコン装置が発する電波を受信し、ビーコン装置識別情報を含めた金額リストリクエストをサーバ１１０に送信することによりサーバ１１０から金額リストを受信する。これにより、端末１２０が商品コードの読取時にサーバ１１０から金額情報を取得する必要を無くす作用を確実にならしめる効果が得られる。
【０１５６】
＜＜第３実施例＞＞
第３実施例は、端末１２０が、予め設定された時刻に基づいて、金額リストリクエストをサーバ１１０に送信する実施例である。例えば端末１２０は、所定の金額リスト要求条件として、時刻情報が予め設定された時刻になったか否かを判定する。そして、時刻情報が予め設定された時刻になったと判定された場合、図１６のステップＳ３００で、端末１２０の通信部４１２は、金額リストリクエストをサーバ１１０に送信する。または、時刻情報が予め設定された時刻になったと判定された場合、図１６のステップＳ３０１で、端末１２０の通信部４１２は、金額リストリクエストをサーバ１１０から受信する。
【０１５７】
＜＜第３実施例の効果＞＞
第３実施例により、予め設定された時刻に基づいて、端末１２０が商品コードの読取時にサーバ１１０から金額情報を取得する必要を無くす作用を確実にならしめる効果が得られる。
【０１５８】
＜第４実施形態＞
第４実施形態は、所定の商品ボックスコードの読取によって、当該商品ボックスに係る全ての商品の金額情報のリストをサーバ１１０から端末１２０に送信する実施形態である。第４実施形態により、端末１２０は商品コードの読取時にサーバ１１０から金額情報を取得する必要が無くなるため、合計金額の算出が速くなるという効果が得られる。
【０１５９】
＜第４実施形態の機能構成＞
第４実施形態に係るサーバ１１０の決済処理部３１３は、更に、例えば、端末１２０から受信した金額リストリクエストに応答して、金額リストを生成する。ここで、金額リストは、所定の商品ボックスＩＤに対応付けられた全ての商品ＩＤについての金額情報のリストである。
【０１６０】
第４実施形態に係る端末１２０の決済受付部４１４は、更に、例えば、所定の商品ボックスＩＤに係る金額リストを要求するための金額リストリクエストを生成し、通信部４１２を介して当該金額リストリクエストをサーバ１１０に送信する。
【０１６１】
＜第４実施形態の動作処理＞
図１７を参照し、第４実施形態に係る通信システム１の処理について説明する。図１７は、第４実施形態に係る通信システム１の処理のシーケンスの一例を示す。
【０１６２】
図１７に示すシーケンスでは、商品の購入者であるユーザ（ユーザＡ）が端末１２０Ａを利用し、所定の通知を受け取るユーザ（ユーザＢ）が端末１２０Ｂを利用するものとする。
【０１６３】
ステップＳ４００で、端末１２０Ａの表示制御部４１３は、例えばユーザＡによる操作に応答して、ボックスコード読取画面を表示装置に表示するよう制御する。
【０１６４】
ステップＳ４０１で、端末１２０Ａの情報取得部４１５は、例えばユーザＡによる操作に応答して、商品ボックスに付された商品ボックスコードを読み取ることにより、当該商品ボックスコードに係る商品ボックスＩＤを取得する。
【０１６５】
ステップＳ４０２で、端末１２０Ａの通信部４１２は、決済受付部４１４が生成した金額リストリクエストをサーバ１１０Ａに送信する。金額リストは、ステップＳ４０１で取得された商品ボックスＩＤに対応付けられた全ての商品ＩＤについての金額情報のリストである。当該金額リストリクエストは、ユーザＩＤと、ステップＳ４０１で取得された商品ボックスＩＤとを含む。
【０１６６】
ステップＳ４０３で、サーバ１１０Ａの通信部３１２は、ステップＳ４０２の在庫リストリクエストに応答して、決済処理部３１３が生成した金額リストを端末１２０Ａに送信する。
【０１６７】
ステップＳ４０４で、端末１２０Ａの表示制御部４１３は、商品コード読取画面を表示装置に表示するよう制御する。
【０１６８】
ステップＳ４０５で、端末１２０Ａの情報取得部４１５は、商品に付された商品コードを読み取ることにより、当該商品コードに係る商品ＩＤを取得する。
【０１６９】
ステップＳ４０６で、端末１２０Ａの表示制御部４１３は、個数指定画面を表示装置に表示するよう制御する。
【０１７０】
ステップＳ４０７で、端末１２０Ａの決済受付部４１４は、個数指定画面に対するユーザＡの操作に応答して、購入する商品の個数の入力を受け付ける。また、決済受付部４１４は、受け付けた個数の情報（個数情報）を、商品ＩＤに対応付けて、端末１２０Ａの記憶部４２０に一時的に格納する。
【０１７１】
ステップＳ４０８で、端末１２０Ａの表示制御部４１３は、会計画面を表示装置に表示するよう制御する。このとき、端末１２０Ａの決済受付部４１４は、ステップＳ４０３で受信した金額リストに含まれる金額情報、及びステップＳ４０７で入力を受け付けた購入する商品の個数に基づいて合計金額を算出する。表示制御部４１３は、算出された当該合計金額を会計画面に表示する。
【０１７２】
ステップＳ４０９で、端末１２０Ａの決済受付部４１４は、ユーザＡによる操作に応答して、商品追加と購入とのいずれかの選択を受け付ける。商品追加が選択された場合は、処理はステップＳ４１０に進み、購入が選択された場合は、処理はステップＳ４０４に戻る。
【０１７３】
ステップＳ４１０で、端末１２０Ａの通信部４１２は、決済受付部４１４が生成した決済リクエストをサーバ３１０Ａに送信する。当該決済リクエストには、決済情報として、ユーザＩＤ、商品ボックスＩＤ、商品ＩＤ、及び個数情報が含まれる。
【０１７４】
ステップＳ４１１で、サーバ１１０Ａの決済処理部３１３は、受信された決済リクエストに含まれる決済情報に基づいて、決済処理を実行する。例えば、決済処理部３１３は、決済情報に含まれるユーザＩＤが示すユーザのアカウントの残高から、決済情報に含まれる商品ボックスＩＤ、商品ＩＤ、及び個数情報から算出される合計金額を減算し、当該商品ボックスＩＤに係る販売者のアカウントの残高に加算する。
【０１７５】
ステップＳ４１２で、サーバ１１０Ａの在庫処理部３１４は、受信された決済リクエストに含まれる決済情報に基づいて、商品ボックス管理ＤＢの在庫情報の更新処理を行う。具体的には、在庫処理部３１４は、決済情報に含まれる商品ボックスＩＤが示す商品ボックス管理ＤＢの在庫情報から、決済情報に含まれる商品ＩＤ毎に、決済情報に含まれる個数情報が示す個数だけ減算する。
【０１７６】
ステップＳ４１３で、サーバ１１０Ａの通知処理部３１５は、所定の通知の通知先となるユーザを決定する。
【０１７７】
ステップＳ４１４で、サーバ１１０Ａの通信部３１２は、端末１２０Ｂに所定の通知を送信する。
【０１７８】
ステップＳ４１５で、端末１２０Ｂの表示制御部４１３は、通知画面を表示装置に表示するよう制御する。
【符号の説明】
【０１７９】
１  通信システム、１１０  サーバ、１１０  サーバ、１２０  端末、１２０Ａ  端末、１２０Ｂ  端末、１２０Ｃ  端末、２００  情報処理装置、２０１  プロセッサ、２０２  メモリ、２０３  ストレージ、２０４  入出力インタフェース（入出力Ｉ／Ｆ）、２０５  通信インタフェース（通信Ｉ／Ｆ）、３１１  入出力部、３１２  通信部、３１３  決済処理部、３１４  在庫処理部、３１５  通知処理部、３２０  記憶部、４１１  入出力部、４１２  通信部、４１３  表示制御部、４１４  決済受付部、４１５  情報取得部
【図１】
2020113058.tif 000003
【図２】
2020113058.tif 000004
【図３】
2020113058.tif 000005
【図４】
2020113058.tif 000006
【図５】
2020113058.tif 000007
【図６】
2020113058.tif 000008
【図７】
2020113058.tif 000009
【図８】
2020113058.tif 000010
【図９】
2020113058.tif 000011
【図１０】
2020113058.tif 000012
【図１１】
2020113058.tif 000013
【図１２】
2020113058.tif 000014
【図１３】
2020113058.tif 000015
【図１４】
2020113058.tif 000016
【図１５】
2020113058.tif 000017
【図１６】
2020113058.tif 000018
【図１７】
2020113058.tif 000019